(57)【要約】【課題】部分支払契約の多様化に対応して車両販売管理を行うことができる車両販売管理システムを提供することである。【解決手段】車両に対するオークションの管理を行うオークション管理システムからの落札車両の車両情報および落札価格といった落札車両情報を取得する落札車両情報取得手段と、前記落札車両情報取得手段によって取得した落札車両情報に基づいて、車両価格の推定を行う車両価格推定手段と、所定の車両を部分支払契約にて取得する場合の、据置き額を前記車両価格推定手段によって推定した車両価格に基づいて決定し、これに基づき該部分支払契約にて支払う支払額を算出する支払額算出手段と、前記支払額算出手段によって算出した支払額を表示する表示手段とを備え、前記表示手段が、前記部分支払契約の支払年数が異なる複数のパターンのそれぞれについて、前記支払額を一画面に表示する。【選択図】図２
2007316894.tif 000002
【特許請求の範囲】
【請求項１】
車両に対するオークションの管理を行うオークション管理システムからの落札車両の車両情報および落札価格といった落札車両情報を取得する落札車両情報取得手段と、
前記落札車両情報取得手段によって取得した落札車両情報に基づいて、車両価格の推定を行う車両価格推定手段と、
所定の車両を部分支払契約にて取得する場合の、据置き額を前記車両価格推定手段によって推定した車両価格に基づいて決定し、これに基づき該部分支払契約にて支払う支払額を算出する支払額算出手段と、
前記支払額算出手段によって算出した支払額を表示する表示手段と
を備え、
前記表示手段が、前記部分支払契約の支払年数が異なる複数のパターンのそれぞれについて、前記支払額を一画面に表示する
ことを特徴とする車両販売管理システム。
【請求項２】
前記所定の車両がオークションに出品されている車両であり、
前記表示手段が、前記所定の車両の該オークションでの入札開始価格を表示する
ことを特徴とする請求項１に記載の車両販売管理システム。
【請求項３】
前記表示手段が、前記入札開始価格を所定の人にだけわかるように暗号化して表示することを特徴とする請求項２に記載の車両販売管理システム。
【請求項４】
前記表示手段が、前記所定の車両の相場価格を表示することを特徴とする請求項１に記載の車両販売管理システム。
【請求項５】
前記表示手段が、前記相場価格を所定の人にだけわかるように暗号化して表示することを特徴とする請求項４に記載の車両販売管理システム。
【請求項６】
コンピュータで動作する車両販売管理プログラムにおいて、
前記コンピュータを、
車両に対するオークションの管理を行うオークション管理システムからの落札車両の車両情報および落札価格といった落札車両情報を取得する落札車両情報取得手段として機能させるプログラムと、
前記落札車両情報取得手段によって取得した落札車両情報に基づいて、車両価格の推定を行う車両価格推定手段として機能させるプログラムと、
所定の車両を部分支払契約にて取得する場合の、据置き額を前記車両価格推定手段によって推定した車両価格に基づいて決定し、これに基づき該部分支払契約にて支払う支払額を算出する支払額算出手段として機能させるプログラムと、
前記支払額算出手段によって算出した支払額を表示する表示手段として機能させるプログラムと
を備え、
前記表示手段として機能させるプログラムが、前記部分支払契約の支払年数が異なる複数のパターンのそれぞれについて、前記支払額を一画面に表示する
ことを特徴とする車両販売管理プログラム。
【発明の詳細な説明】
【技術分野】
【０００１】
本発明は車両販売管理システムに関し、詳しくは、ユーザが車両販売価格のうちの一部のみを負担するだけで、その車両を使用可能にする販売契約に関する管理を行う車両販売管理システムに関する。
【背景技術】
【０００２】
車両の価格は高価なものであるため、その購入にあたっては、現金で直接購入する方法のほかに、融資を受けて購入することが多々ある。
【０００３】
また従来から、ユーザが車両を入手する際の選択肢として、車両を完全に購入してしまう以外に、ユーザと車両提供者との契約によって、ユーザが車両代金の一部のみを予め定めた数年間で支払い、その数年の間、ユーザはその車両を使用することができるという形態のビジネスモデル（以下「部分支払契約」という。）が提供されている。なお、以下の説明では、車両代金から、数年かけてユーザが支払う金額を引いた金額を据置き額という。
【０００４】
この部分支払契約では、その予め定めた数年間にユーザが支払う金額の設定、換言すれば据置き額の設定が重要であり、支払い完了時のその車両の価値に見合った額に定めるのが望ましい。
【０００５】
このため、車両提供者としては、支払い完了時におけるその車両の価値を予測できるようにする必要がある。
【０００６】
これに対して特許文献１に記載の発明では、オークション市場で付けられた各車両の値段に基づいて中古車の将来価格を予測する方法を開示している。
【０００７】
【特許文献１】特開２００３−９９５１９号公報
【発明の開示】
【発明が解決しようとする課題】
【０００８】
最近では、上記した部分支払契約においても、ユーザの使い勝手を向上するように、契約形態が多様化している。
【０００９】
ところが、特許文献１に記載の発明やそのほかの従来技術では、部分支払契約の多様化を想定していないものであった。このため、部分支払契約の多様化に対応し、その管理を行うことができる車両販売管理システムの提供が望まれていた。
【００１０】
本発明は上記の点にかんがみてなされたもので、部分支払契約の多様化に対応して車両販売管理を行うことができる車両販売管理システムを提供することを目的とする。
【課題を解決するための手段】
【００１１】
本発明は上記の目的を達成するために、車両販売管理システムにおいて、車両に対するオークションの管理を行うオークション管理システムからの落札車両の車両情報および落札価格といった落札車両情報を取得する落札車両情報取得手段と、前記落札車両情報取得手段によって取得した落札車両情報に基づいて、車両価格の推定を行う車両価格推定手段と、所定の車両を部分支払契約にて取得する場合の、据置き額を前記車両価格推定手段によって推定した車両価格に基づいて決定し、これに基づき該部分支払契約にて支払う支払額を算出する支払額算出手段と、前記支払額算出手段によって算出した支払額を表示する表示手段とを備え、前記表示手段が、前記部分支払契約の支払年数が異なる複数のパターンのそれぞれについて、前記支払額を一画面に表示することを特徴とする。
【００１２】
また本発明は、請求項１に記載の発明において、前記所定の車両がオークションに出品されている車両であり、前記表示手段が、前記所定の車両の該オークションでの入札開始価格を表示することを特徴とする。
【００１３】
また本発明は、請求項２に記載の発明において、前記表示手段が、前記入札開始価格を所定の人にだけわかるように暗号化して表示することを特徴とする。
【００１４】
また本発明は、請求項１に記載の発明において、前記表示手段が、前記所定の車両の相場価格を表示することを特徴とする。
【００１５】
また本発明は、請求項４に記載の発明において、前記表示手段が、前記相場価格を所定の人にだけわかるように暗号化して表示することを特徴とする。
【発明の効果】
【００１６】
本発明によれば、部分支払契約の多様化に対応して車両販売管理を行うことができる車両販売管理システムを提供することができる。
【００１７】
すなわち、表示手段が、部分支払契約の支払年数が異なる複数のパターンのそれぞれについて、支払額を一画面に表示するようにしたので、支払年数の多様化した部分支払契約のそれぞれを一目で比較検討することができるという効果がある。
【００１８】
また、本発明を用いれば、利用者に対して部分支払契約をわかりやすく説明することができ、部分支払契約を利用しやすくできるし、部分支払契約でローンを組んだ利用者は完済時に店舗に足を運ぶことになるため、再度契約を結ぶための商機を得ることができる。また、部分支払契約のローン完済時にその車両の傷などの程度によって価値が変わるため、ユーザが車両の程度を落とさない努力をして点検などで店舗に足を運ぶ機会が増え、様々なビジネスの商機を得ることができる。
【発明を実施するための最良の形態】
【００１９】
以下、本発明による実施の形態について図面を参照して説明する。
【００２０】
図１は、本発明による車両販売管理システムの一実施の形態のハードウェア構成を示すブロック図である。
【００２１】
本実施の形態では、オークションを運営するオークション運営会社（以下「オークション運営会社」という）と、会員登録してそのオークションに参加する会員（主に個人消費者などの顧客に対して中古車販売を行う業者である。以下「オークション会員」という）と、このオークション会員に対してオークション落札車両の取得費用を融資するファイナンス会社（以下「ファイナンス会社」という）とが参加してオークションで中古車の売買をする場合において、オークション会員の店舗に中古車購入のため訪れた顧客たとえば個人消費者に対して、部分支払契約の利用を提示することができる車両販売管理システムを例にして説明する。また、本実施の形態においてはファイナンス会社がオークション会員の顧客（以下の説明では個人消費者とする）に対して部分支払契約を提供するサービスを「ゴジュッパ」と呼ぶ。
【００２２】
図１に示すように、本実施の形態の車両販売管理システムは、サーバーコンピュータ１とパソコン２とパソコン３とをネットワーク４で接続し、サーバーコンピュータ５とパソコン７とパソコン８とをネットワーク９で接続し、サーバーコンピュータ１とサーバーコンピュータ５とをネットワーク６で接続して構成される。
【００２３】
パソコン２には各種書類を印刷するプリンタ２ａが接続され、パソコン３には各種書類を印刷するプリンタ３ａが接続され、パソコン７には各種書類を印刷するプリンタ７ａが接続され、パソコン８には各種書類を印刷するプリンタ８ａが接続されている。
【００２４】
本実施の形態においては、サーバーコンピュータ１とパソコン２とパソコン３とをネットワーク４で接続してなる構成はゴジュッパを提供するシステムであり、サーバーコンピュータ５とパソコン７とパソコン８とをネットワーク４で接続してなる構成は中古車のオークションを提供するシステムであり、サーバーコンピュータ１とサーバーコンピュータ５とはネットワーク６で接続されて互いに通信し、情報の共有を行う。
【００２５】
サーバーコンピュータ１とサーバーコンピュータ５との情報の共有の例について説明すると、たとえば、サーバーコンピュータ５に登録されている、オークションの出品車両の車両情報（車種、車色、年式、走行距離、内装設備、外装設備、傷の程度、車検の残期間などの情報）、落札車両の車両情報やその落札価格などを、ネットワーク６を介してサーバーコンピュータ１が受け取り、サーバーコンピュータ１では、これらの情報をゴジュッパすなわち部分支払契約を提供するサービスに利用する。
【００２６】
図１において、ネットワーク４、６、９は、たとえばイーサネット（登録商標）やトークンリング等のＬＡＮやそのほかインターネットなど、また有線、無線を問わず、また通信プロトコルも問わず、どのようなネットワークでもかまわない。ネットワーク４、６、９に接続された各装置のそれぞれには、予めネットワーク上のアドレスが設定されており、各装置はこのアドレスによって識別され、ネットワーク上の他の装置との通信を行う。なお、各装置間のデータのやり取りは、このようなネットワークを介した通信に限られるものではなく、持ち運び可能な記憶媒体にデータを格納して各装置間でデータのやり取りを行うようにしてもかまわない。
【００２７】
サーバーコンピュータ１は、たとえばファイナンス会社、もしくはサーバーの提供を行う第三者に設置され、本実施の形態の車両販売管理システムのソフトウェアプログラム（車両販売管理プログラム）を保持してこれを実行し、また、本実施の形態の後述する各種データベースを保持する。
【００２８】
また、サーバーコンピュータ５は、たとえばオークション運営会社、もしくはサーバーの提供を行う第三者に設置され、中古車売買のためのオークションの管理を行うオークション管理システムのソフトウェアプログラム（オークション管理プログラム）を保持してこれを実行し、また、オークション管理に必要な各種データベースを保持する。
【００２９】
パソコン２は、ファイナンス会社の担当者が操作するものであり、たとえばそのファイナンス会社に設置され、本実施の形態の車両販売管理システムのソフトウェアプログラム（車両取得費用管理プログラム）を保持してこれを実行する。
【００３０】
パソコン３は、オークション会員の担当者が操作するものであり、たとえばそのオークション会員の事務所に設置され、本実施の形態の車両販売管理システムのソフトウェアプログラム（車両取得費用管理プログラム）を保持してこれを実行する。
【００３１】
パソコン７は、オークション会員の担当者が操作するものであり、たとえばそのオークション会員の事務所に設置され、オークション管理システムのソフトウェアプログラム（オークション管理プログラム）を保持してこれを実行する。
【００３２】
パソコン８は、オークション運営会社の担当者が操作するものであり、たとえばそのオークション運営会社に設置され、オークション管理システムのソフトウェアプログラム（オークション管理プログラム）を保持してこれを実行する。
【００３３】
パソコン２、３は、サーバーコンピュータ１と通信し、操作者によって車両販売管理システムのソフトウェアプログラムを起動する指示が入力される。またパソコン２や３からは車両販売管理システムに係る各種データが入力される。データ入力は、キーボードやマウス等によって行ってもよいし、書類をスキャナで読み取って入力するようなものであってもよいし、各種ディスクなどの記憶媒体に記憶された外部ファイルを取り込むようなものであってもよい。
【００３４】
パソコン７、８は、サーバーコンピュータ５と通信し、操作者によってオークション管理システムのソフトウェアプログラムを起動する指示が入力される。またパソコン２や３からはオークション管理システムに係る各種データが入力される。データ入力は、キーボードやマウス等によって行ってもよいし、書類をスキャナで読み取って入力するようなものであってもよいし、各種ディスクなどの記憶媒体に記憶された外部ファイルを取り込むようなものであってもよい。
【００３５】
図２は、図１に示した車両販売管理システムの機能構成を示すブロック図である。
【００３６】
なお、以下においてＤＢはデータベースの略である。
【００３７】
図２に示すように、車両販売管理システム１０は、入出力部１１と会員情報マスタＤＢ１３と会員情報照合部１４と出品車両情報ＤＢ１５と落札車両情報マスタＤＢ１６と車両価格情報マスタＤＢ１７と車両価格推定部１８と支払額算出部１９と帳票出力部２０とを有して構成される。
【００３８】
また、入出力部１１による各種データ入出力に代わって外部ファイル１２による各種データの入出力も可能である。
【００３９】
入出力部１１は、たとえばパソコン２や３に設けられた、入力のためのキーボードやマウス、スキャナ等であり、出力のためのディスプレイ装置（ＣＲＴ、ＬＣＤ等）等である。
【００４０】
本実施の形態の車両販売管理システム１０によれば、以下のようなビジネスモデルをコンピュータによって実現、管理するシステムが提供される。
【００４１】
ここで、そのビジネスモデルの概略を説明しておく。
【００４２】
オークション会員すなわち中古車販売業者の事務所にはパソコン３およびパソコン７が設置され、個人消費者が中古車購入のためにこの事務所に来たとき、オークション会員の担当者は、パソコン７を操作してオークションに参加したり、パソコン３を操作してゴジュッパすなわち部分支払契約の説明を行う。
【００４３】
中古車のオークションをオークション管理システムでは、パソコン７を用いて、サーバーコンピュータ５に接続し、車両の出品、出品車両の閲覧、入札、落札、オークション結果の確認等を行うことができる。サーバーコンピュータ５にはこれらのオークションに関する様々な情報すなわちオークション情報や、出品車両、落札車両に関する上述の車両情報が蓄積されている。
【００４４】
サーバーコンピュータ５に蓄積されているオークション情報や車両情報等は、サーバーコンピュータ１に伝えられ、情報の共有が行われる。
【００４５】
オークション会員の担当者は、事務所に来た個人消費者に対して、パソコン７を用いて、オークションに出品されている車両の提示を行い、個人消費者による取得候補車両の絞り込みを行う。なお、サーバーコンピュータ１でもオークションの出品車両の車両情報を共有しているので、パソコン３を用いて、オークションに出品されている車両の提示、個人消費者による取得候補車両の絞り込みを行うことも可能である。
【００４６】
取得候補車両の絞り込みが行われたならば、オークション会員の担当者は、その個人消費者に対して、その対象車両の支払額がどの程度になるかを提示する。この提示の際にパソコン３が用いられる。
【００４７】
すなわち、オークション会員の担当者がパソコン３を操作することによって、サーバーコンピュータ１に接続され、対象車両を取得するための支払額が提示される。
【００４８】
個人消費者は、その提示額を参考にして、取得する車両をどれにするかの検討を行い、パソコン７を用いてオークションにおいてその車両に入札を行う。
【００４９】
続いて、図２に示した各構成について説明する。
【００５０】
会員情報マスタＤＢ１３は、オークション会員のうちゴジュッパサービスも利用する旨の申請があった場合に、そのオークション会員に関する情報をデータベースとして保持するデータベースである。この会員情報マスタＤＢ１３は、たとえばサーバーコンピュータ１に保持される。
【００５１】
会員情報マスタＤＢ１３は、オークション会員１者についての情報が１レコードであり、たとえば「会員番号」、「会員名」、「会員住所」、「会員ＩＤ」、「パスワード」等の情報を保持する。
【００５２】
「会員ＩＤ」および「パスワード」は、そのオークション会員がゴジュッパサービスを利用する際の個人認証を行うためのものである。
【００５３】
出品車両情報ＤＢ１５は、オークション出品車両１台についての情報が１レコードであり、サーバーコンピュータ５から取得したオークション出品車両の車両情報を保持する。
【００５４】
落札車両情報マスタＤＢ１６は、オークションで落札された車両１台についての情報が１レコードであり、サーバーコンピュータ５から取得したオークション落札車両の車両情報を保持する。
【００５５】
車両価格情報マスタＤＢ１７には、落札車両情報マスタＤＢ１６に保持されている、過去のオークションで値が付いた様々な車両の車両情報とその落札価格に基づいて、車両価格推定部１８によって推定された車両価格が保持される。
【００５６】
車両価格推定部１８は、たとえば特許文献１に記載のような既知の方法で車両価格の予測、推定を行う。すなわち、ある落札車両Ａがある落札価格ａで落札されたならば、車両情報（車種、車色、年式、走行距離、内装設備、外装設備、傷の程度、車検の残期間などの情報）が同程度の別の車両Ｂの価格は、落札価格ａと同程度であると推定し、また過去からの膨大な落札車両情報を用いて各車両の価格は時間とともにどのように推移していくかを求め、将来の車両の価格を推定することもできる。
【００５７】
支払額算出部１９は、車両価格情報マスタＤＢ１７に保持されている情報に基づき、部分支払契約における支払額を算出する。
【００５８】
帳票出力部２０は、たとえば車両販売管理システム１０のソフトウェアプログラムが各コンピュータ１、２、３で実行されて実現されるものであり、データベースの内容や、見積書、ローンの契約書、請求書等の各種帳票を作成し、プリンタ２ａ、３ａにて印刷出力したり、パソコン２や３にて表示出力する。
【００５９】
次に、本実施の形態の車両販売管理システム１０の動作について図面を参照しながら説明する。
【００６０】
図３は、図１や図２に示した車両販売管理システム１０の動作のフローチャートを示す図である。
【００６１】
図４、図５、図６、図７、図８、図９、図１０、図１１は、図１に示したパソコン３の表示画面すなわち図２の入出力部１１に表示される操作画面を示す図である。なお、図４〜図１１の操作画面においては丸付き数字で示しているが、明細書中ではこれらの文字が使えないため、以下の説明ではこれらを括弧つき数字で示す。
【００６２】
ここでは、オークション会員の担当者が、パソコン３を用いて、個人消費者に対してオークションに出品されている車両の提示を行う場合について説明する。
【００６３】
まず、オークション会員の担当者が、パソコン３を操作してサーバーコンピュータ１に接続し、このオークション会員の会員情報を入力する（図３のステップ（Ａ−１））。この会員情報は「会員ＩＤ」、「パスワード」といったものである。
【００６４】
これを受けたサーバーコンピュータ１では、会員情報照合部１４にて、入力された会員情報と、会員情報マスタＤＢ１３に登録してある会員情報との照合を行い（図３のステップ（Ａ−２））、登録されている会員であることが判明すれば、以降の処理が許可される。
【００６５】
続いて、オークション会員の担当者は、パソコン３の操作画面にて、個人消費者が所望する車両の車種を入力して、現在オークションに出品されている車両の絞り込みを行う。
【００６６】
図４は、パソコン３の操作画面にて、（１）のメーカー名の欄に車両メーカー名として「クライスラー」を入力した状態を示す。
【００６７】
図５は、図４に続いて、パソコン３の操作画面にて、（２）の車名の欄に車種名として「グランドボイジャー」を入力した後に、（３）の「車両を見る」ボタンをクリックした状態を示す。
【００６８】
図５を参照すると、「クライスラー」の「グランドボイジャー」は、現在オークションに１台だけ出品されていることがわかる。複数出品されている場合には、各車両についての情報が縦に順々に表示される。
【００６９】
図５の画面では、出品されている車両の概略の情報が表示されるが、その車両の詳細な情報を参照したい場合には、その車両の欄の「詳細」ボタンをクリックすることによってその車両を選択する（図３のステップ（Ａ−３））。「詳細」ボタンをクリックした後に表示される画面を図６に示す。
【００７０】
この図６の画面では、車両の写真等によってその車両の状態を把握することができるようにしてある。
【００７１】
パソコン３の画面は、オークション会員の担当者と個人消費者とが一緒に見て、個人消費者の希望により車両選択を行なう。
【００７２】
なお、本実施の形態では、オークションに入札を行うのはオークション会員であり、その落札額は個人消費者には知らされない。オークションでの落札額と、個人消費者への販売額との差額が、そのオークション会員の利益となるからである。
【００７３】
また、図６の操作画面には、個人消費者にはわからず、オークション会員の担当者だけがわかるようにして（たとえば表示位置をオークション会員だけに知らせたりなど、オークション会員のみがわかるように暗号化して）、その車両のオークションでの入札開始価格（たとえば出品時に出品者によって設定される）や、その車両の相場価格（車両価格情報マスタＤＢに基づいて算出される）が表示される。これらの価格が個人消費者に知られてしまうと、そのオークション会員のビジネスがやりにくくなるからである。これらの価格は、図６の操作画面のどこかに表示され、どこに表示されるかはオークション会員にのみ予め通知される。
【００７４】
オークション会員の担当者は、図６の操作画面に表示されたその車両のオークション開始価格やその車両の相場価格を参照し、自分の会社の利益を考えた上で、個人消費者が購入できそうな価格を提示する。
【００７５】
たとえば、図６の「クライスラー」の「グランドボイジャー」のオークション開始価格は１６０万円で、相場価格が１９５万円であると、図６の操作画面に表示されていたとき、オークション会員の担当者は、自社利益として２０万円を確保したいのであれば、相場から見て落札できそうな価格（ここでは２００万円とする）に自社利益２０万円を上乗せして、２２０万円を個人消費者に提示する。
【００７６】
続いて、この提示金額でゴジュッパのサービスを利用すると支払額がどの程度になるかを車両販売管理システム１０にて示すため、図６の操作画面の（４）の「予想車両本体価格」の欄に、提示金額２２０万円を入力し、（５）の「ゴジュッパ価格計算ボタン」をクリックする（図３のステップ（Ａ−４））。このクリック後の画面を図７に示す。
【００７７】
図７を参照すると、車両の写真の下方には、ゴジュッパのサービスを利用した場合の支払額（ゴジュッパ価格）が表示されている。この表示の一番上の行の一番右には支払年数を３年とした場合の支払額（１，３４５，０００円）が表示され、中央の行の一番右には支払年数を４年とした場合の支払額（１，５３０，０００円）が表示され、一番下の行の一番右には支払年数を５年とした場合の支払額（１，３４５，０００円）が表示される（図３のステップ（Ａ−６））。
【００７８】
これらの支払額は、図２の支払額算出部１９において算出される（図３のステップ（Ａ−５））。この算出はたとえば以下のようにして行われる。
【００７９】
まず、支払年数が経過した時点（支払完了時点）のその車両の価格を車両価格情報マスタＤＢに基づいて求め、支払完了時点価格とする。そして、この支払完了時点価格が、車両の種類などに基づいて定めた最大据置き額以下であれば、支払完了時点価格を据置き額とし、支払完了時点価格が最大据置き額以上であれば、最大据置き額を据置き額とする。
【００８０】
購入した場合の金額（２２０万円）から据置き額を減算し、手数料等をさらに上乗せした（上乗せしなくてもよいが）金額が支払額（ゴジュッパ価格）となる。
【００８１】
このゴジュッパ価格をローンにした場合の分割支払額は、図７の（６）のローン計算ボタンをクリックすることによって表示される。
【００８２】
図７の（６）の４年ローン計算ボタンをクリックした場合の表示画面を図８に示す。さらに、図８の画面で、車両本体価格以外の各費用を入力した上で（ここでは０円とした）「月々お支払計算ボタン」をクリックした場合の表示画面を図９に示す。
【００８３】
図９を参照すると、ゴジュッパを利用した場合の月々の支払額は４２，２４８円であり、ゴジュッパを利用せずに通常の購入をした場合の月々の支払額は５２，５００円であると表示される。
【００８４】
図９の表示画面で「お客様ご購入プラン見積書作成」のボタンをクリックすると、図１０の画面が表示される。
【００８５】
図１０の表示画面ではローンの内訳が表示され、この図１０の表示画面で「ローン用紙作成はこちらへ」のボタンをクリックすると、図１１の画面が表示される。この図１１の画面の印刷を行えば、そのままローン用紙として用いることができる。
【００８６】
なお、個人消費者は、ゴジュッパサービスのローン完済後は、据置き額を工面して支払い、その車両を完全取得してもよいし、その車両を売却して得た資金で据置き額を支払ってもよい。
【００８７】
また、上述の実施の形態では、ゴジュッパ価格の支払期間を、３年、４年または５年と定めたが、本発明はこれに限られるものではなく、たとえば車検の期限に応じて月単位で、据置き額を算出しゴジュッパ価格を定めるようにしてもよい。
【図面の簡単な説明】
【００８８】
【図１】本発明による車両販売管理システムの一実施の形態のハードウェア構成を示すブロック図である。
【図２】図１に示した車両販売管理システムの機能構成を示すブロック図である。
【図３】図１や図２に示した車両販売管理システム１０の動作のフローチャートを示す図である。
【図４】図１に示したパソコン３の表示画面すなわち図２の入出力部１１に表示される操作画面を示す図である。
【図５】図１に示したパソコン３の表示画面すなわち図２の入出力部１１に表示される操作画面を示す図である。
【図６】図１に示したパソコン３の表示画面すなわち図２の入出力部１１に表示される操作画面を示す図である。
【図７】図１に示したパソコン３の表示画面すなわち図２の入出力部１１に表示される操作画面を示す図である。
【図８】図１に示したパソコン３の表示画面すなわち図２の入出力部１１に表示される操作画面を示す図である。
【図９】図１に示したパソコン３の表示画面すなわち図２の入出力部１１に表示される操作画面を示す図である。
【図１０】図１に示したパソコン３の表示画面すなわち図２の入出力部１１に表示される操作画面を示す図である。
【図１１】図１に示したパソコン３の表示画面すなわち図２の入出力部１１に表示される操作画面を示す図である。
【符号の説明】
【００８９】
１、５  サーバーコンピュータ
２、３、７、８  パソコン
２ａ、３ａ、７ａ、８ａ  プリンタ
４、６、９  ネットワーク
１０  車両販売管理システム
１１  入出力部
１２  外部ファイル
１３  会員情報マスタＤＢ
１４  会員情報照合部
１５  出品車両情報マスタＤＢ
１６  落札車両情報マスタＤＢ
１７  車両価格情報マスタＤＢ
１８  車両価格推定部
１９  支払額算出部
２０  帳票出力
【図１】
2007316894.tif 000003
【図２】
2007316894.tif 000004
【図３】
2007316894.tif 000005
【図４】
2007316894.tif 000006
【図５】
2007316894.tif 000007
【図６】
2007316894.tif 000008
【図７】
2007316894.tif 000009
【図８】
2007316894.tif 000010
【図９】
2007316894.tif 000011
【図１０】
2007316894.tif 000012
【図１１】
2007316894.tif 000013